(57)【要約】【課題】記録媒体を効率的に用いることができるようにする。【解決手段】放送番組に関する放送信号を受信する受信部２４と、この受信部２４によって受信された放送信号の放送番組を記録媒体に記録する記録部１７と、受信部２４によって受信された放送信号について、その受信品質を判定する受信品質判定部１６と、この受信品質判定部１６により放送信号の受信品質が悪いと判断された場合に、記録部１７による放送番組の記録を停止させる制御部１１とをそなえて構成する。【選択図】        図１
2006345185.tif 000002
【特許請求の範囲】
【請求項１】
移動体に搭載される移動体搭載装置であって、
放送番組に関する放送信号を受信する受信部と、
該受信部によって受信された該放送信号の放送番組を記録媒体に記録する記録部と、
前記受信部によって受信された放送信号について、その受信品質を判定する受信品質判定部と、
該受信品質判定部により前記放送信号の受信品質が悪いと判断された場合に、該記録部による該放送番組の記録を停止させる制御部とをそなえることを特徴とする、移動体搭載装置。
【請求項２】
該放送信号が少なくとも画像信号と音声信号とを含むものであって、
該受信品質判定部が、前記受信部によって受信された放送信号における該音声信号の品質を判定するとともに、
該制御部が、該受信品質判定部により前記音声信号の品質が良好であると判断された場合に、該記録部に、該放送番組の音声を記録させることを特徴とする、請求項１記載の移動体搭載装置。
【請求項３】
該記録部により前記放送番組の記録を行なうための記録条件を記録条件情報として格納する記録条件情報格納部と、
該記録条件情報格納部に格納された該記録条件が満たされたときに、該記録部に前記放送番組の記録を行なわせる条件記録制御部とをそなえることを特徴とする、請求項１記載の移動体搭載装置。
【請求項４】
該受信部によって受信された該放送信号の放送番組を表示可能な表示部と、
該表示部によって表示された放送番組に関する情報を視聴履歴として格納する視聴履歴格納部と、
該視聴履歴格納部に格納された該視聴履歴に基づいて、該記録条件を作成する記録条件作成部とをそなえ、
該記録条件格納部が、該記録条件作成部によって作成された該記録条件を記録条件情報として格納することを特徴とする、請求項３記載の移動体搭載装置。
【請求項５】
該記録条件を入力可能な記録条件入力部をそなえ、
該記録条件格納部が、該記録条件入力部によって作成された該記録条件を記録条件情報として格納することを特徴とする、請求項３又は請求項４記載の移動体搭載装置。
【請求項６】
該記録条件情報が、複数の該記録条件をそなえるとともに、当該複数の記録条件に優先順位を示す優先順位情報をそなえることを特徴とする、請求項３〜請求項５のいずれか１項に記載の移動体搭載装置。
【請求項７】
該記録部により記録を行なう該放送番組を特定するためのキーワードを入力可能なキーワード入力部と、
該放送番組に関する番組情報をそなえた電子番組表情報を取得可能な電子番組表情報取得部と、
該キーワード入力部によって入力された該キーワードと該電子番組表情報取得部によって取得された該電子番組表情報とに基づいて、該番組情報が該キーワードに一致もしくは一部一致する該放送番組を検索するキーワード検索部とをそなえ、
該記録条件格納部が、該キーワード検索部によって検索された該放送番組を特定するための情報を該記録条件情報として格納することを特徴とする、請求項３〜請求項６のいずれか１項に記載の移動体搭載装置。
【請求項８】
該受信品質判定部により前記放送信号の受信品質が悪いと判断された場合に、当該移動体搭載装置に通信可能に接続され、該放送信号を受信しその放送番組を記録媒体に記録可能な放送番組記録装置に対して収録指示を行なう収録指示部をそなえることを特徴とする、請求項１〜請求項７のいずれか１項に記載の移動体搭載装置。
【請求項９】
放送番組に関する放送信号を受信して当該放送番組を記録可能な放送番組記録装置と、当該放送番組記録装置と通信回線を介して通信可能に接続され、移動体に搭載される移動体搭載装置とをそなえる放送番組受信システムであって、
該放送番組記録装置が、
該放送信号を受信する第１受信部と、
該受信部によって受信された該放送信号の放送番組を第１記録媒体に記録する第１記録部とをそなえるとともに、
該移動体搭載装置が、
該放送信号を受信する第２受信部と、
該受信部によって受信された該放送信号の放送番組を第２記録媒体に記録する第２記録部と
前記受信部によって受信された放送信号について、その受信品質を判定する受信品質判定部と、
該受信品質判定部により前記放送信号の受信品質が悪いと判断された場合に、該第２記録部による記録を停止させるとともに、該放送番組記録装置に対して該通信回線を介して収録指示を行なう収録指示部とをそなえ、
該放送番組記録装置が該収録指示を受信した場合に、該第１記録部が、当該収録指示に従って該放送番組の記録を行なうことを特徴とする、放送番組受信システム。
【請求項１０】
放送番組に関する放送信号を受信する受信部と当該受信部によって受信された該放送信号の放送番組を記録媒体に記録する記録部とをそなえ、移動体に搭載される移動体搭載装置において、該放送番組を受信する放送番組受信機能をコンピュータに実行させるための放送番組受信プログラムであって、
前記受信部によって受信された放送信号について、その受信品質を判定する受信品質判定部と、
該受信品質判定部により前記放送信号の受信品質が悪いと判断された場合に、該記録部による記録を停止させる制御部として、該コンピュータを機能させることを特徴とする、放送番組受信プログラム。
【請求項１１】
放送番組に関する放送信号を受信する受信部と当該受信部によって受信された該放送信号の放送番組を記録媒体に記録する記録部とをそなえ、移動体に搭載される移動体搭載装置において、該放送番組を受信する放送番組受信機能をコンピュータに実行させるための放送番組受信プログラムを記録したコンピュータ読取可能な記録媒体であって、
該放送番組受信プログラムが、
前記受信部によって受信された放送信号について、その受信品質を判定する受信品質判定部と、
該受信品質判定部により前記放送信号の受信品質が悪いと判断された場合に、該記録部による記録を停止させる制御部として、該コンピュータを機能させることを特徴とする、放送番組受信プログラムを記録したコンピュータ読取可能な記録媒体。
【発明の詳細な説明】
【技術分野】
【０００１】
本発明は、移動体に搭載される移動体搭載装置において放送信号を受信する技術に関する。
【背景技術】
【０００２】
近年では、自動車にテレビが搭載されることも多くなり、自動車による移動中においても放送番組を受信して視聴することが一般的に可能になっている。又、このような車載テレビにおいて、受信した放送番組を録画する番組録画機能をそなえたものもある。
しかしながら、車載テレビにおいては、自動車の移動に伴って、電界の急激な変化等により放送信号の電波受信具合が変化し、受信信号対雑音比（Ｓ／Ｎ比）が悪化することにより、受信映像の画質が悪化することがある。この場合、車載テレビにそなえられた番組録画機能で録画される画質も悪くなる。
【０００３】
画質が悪い受信映像は、視聴者による視聴に耐えられないものであることが多く、このような劣悪な受信映像を画像記録媒体（例えば、磁気テープや磁気ディスク）に録画することは、画像記録媒体の有限な容量を無駄に消費することとなり非効率的である。又、放送番組の受信状態が悪いと、見たい番組を見逃してしまうという課題もある。
そこで、例えば、下記特許文献１には、デジタルテレビジョン受信機を用いてデジタル地上波を受信することにより、車両上においてもノイズの少ない映像として放送番組を録画できるようにする手法が開示されている。
【特許文献１】特開２００２−１９１０２０号公報
【発明の開示】
【発明が解決しようとする課題】
【０００４】
しかしながら、このような従来の放送番組の受信手法においては、デジタルテレビジョン受信機をそなえる必要があるが、アナログ方式の地上波が主流の現状では、デジタルテレビジョン受信機は高価であり非経済的であるという課題がある。
本発明は、このような課題に鑑み創案されたもので、受信品質が低下した放送番組を記録しないようにする工夫を施すことにより、記録媒体を効率的に用いることができるようにすることを目的とする。
【課題を解決するための手段】
【０００５】
このため、本発明の移動体搭載装置（請求項１）は、移動体に搭載される移動体搭載装置であって、放送番組に関する放送信号を受信する受信部と、該受信部によって受信された該放送信号の放送番組を記録媒体に記録する記録部と、前記受信部によって受信された放送信号について、その受信品質を判定する受信品質判定部と、該受信品質判定部により前記放送信号の受信品質が悪いと判断された場合に、該記録部による該放送番組の記録を停止させる制御部とをそなえることを特徴としている。
【０００６】
なお、該放送信号が少なくとも画像信号と音声信号とを含むものであって、該受信品質判定部が、前記受信部によって受信された放送信号における該音声信号の品質を判定するとともに、該制御部が、該受信品質判定部により前記音声信号の品質が良好であると判断された場合に、該記録部に、該放送番組の音声を記録させてもよい（請求項２）。
また、該記録部により前記放送番組の記録を行なうための記録条件を記録条件情報として格納する記録条件情報格納部と、該記録条件情報格納部に格納された該記録条件が満たされたときに、該記録部に前記放送番組の記録を行なわせる条件記録制御部とをそなえてもよい（請求項３）。
【０００７】
さらに、該受信部によって受信された該放送信号の放送番組を表示可能な表示部と、該表示部によって表示された放送番組に関する情報を視聴履歴として格納する視聴履歴格納部と、該視聴履歴格納部に格納された該視聴履歴に基づいて、該記録条件を作成する記録条件作成部とをそなえ、該記録条件格納部が、該記録条件作成部によって作成された該記録条件を記録条件情報として格納してもよい（請求項４）。
【０００８】
またさらに、該記録条件を入力可能な記録条件入力部をそなえ、該記録条件格納部が、該記録条件入力部によって作成された該記録条件を記録条件情報として格納してもよい（請求項５）。
さらにまた、該記録条件情報が、複数の該記録条件をそなえるとともに、当該複数の記録条件に優先順位を示す優先順位情報をそなえてもよい（請求項６）。
【０００９】
また、該記録部により記録を行なう該放送番組を特定するためのキーワードを入力可能なキーワード入力部と、該放送番組に関する番組情報をそなえた電子番組表情報を取得可能な電子番組表情報取得部と、該キーワード入力部によって入力された該キーワードと該電子番組表情報取得部によって取得された該電子番組表情報とに基づいて、該番組情報が該キーワードに一致もしくは一部一致する該放送番組を検索するキーワード検索部とをそなえ、該記録条件格納部が、該キーワード検索部によって検索された該放送番組を特定するための情報を該記録条件情報として格納してもよい（請求項７）。
【００１０】
さらに、該受信品質判定部により前記放送信号の受信品質が悪いと判断された場合に、当該移動体搭載装置に通信可能に接続され、該放送信号を受信しその放送番組を記録媒体に記録可能な放送番組記録装置に対して収録指示を行なう収録指示部をそなえてもよい（請求項８）。
また、本発明の放送番組受信システム（請求項９）は、放送番組に関する放送信号を受信して当該放送番組を記録可能な放送番組記録装置と、当該放送番組記録装置と通信回線を介して通信可能に接続され、移動体に搭載される移動体搭載装置とをそなえる放送番組受信システムであって、該放送番組記録装置が、該放送信号を受信する第１受信部と、該受信部によって受信された該放送信号の放送番組を第１記録媒体に記録する第１記録部とをそなえるとともに、該移動体搭載装置が、該放送信号を受信する第２受信部と、該受信部によって受信された該放送信号の放送番組を第２記録媒体に記録する第２記録部と前記受信部によって受信された放送信号について、その受信品質を判定する受信品質判定部と、該受信品質判定部により前記放送信号の受信品質が悪いと判断された場合に、該第２記録部による記録を停止させるとともに、該放送番組記録装置に対して該通信回線を介して収録指示を行なう収録指示部とをそなえ、該放送番組記録装置が該収録指示を受信した場合に、該第１記録部が、当該収録指示に従って該放送番組の記録を行なうことを特徴としている。
【００１１】
さらに、本発明の放送番組受信プログラム（請求項１０）は、放送番組に関する放送信号を受信する受信部と当該受信部によって受信された該放送信号の放送番組を記録媒体に記録する記録部とをそなえ、移動体に搭載される移動体搭載装置において、該放送番組を受信する放送番組受信機能をコンピュータに実行させるための放送番組受信プログラムであって、前記受信部によって受信された放送信号について、その受信品質を判定する受信品質判定部と、該受信品質判定部により前記放送信号の受信品質が悪いと判断された場合に、該記録部による記録を停止させる制御部として、該コンピュータを機能させることを特徴としている。
【００１２】
そして、本発明のコンピュータ読取可能な記録媒体（請求項１１）は、上述した放送番組受信プログラムを記録したものである。
【発明の効果】
【００１３】
本発明によれば、記録媒体の容量を効率的に用いることができる利点がある。又、放送信号の受信品質が悪い場合においても、収録装置によって放送番組の収録を行なうことができ、視聴を希望する番組を見逃すことがない。
【発明を実施するための最良の形態】
【００１４】
以下、図面を参照して本発明の実施の形態を説明する。
（Ａ）一実施形態の説明
図１は本発明の一実施形態としての放送番組受信システムの構成を模式的に示す図である。本放送番組受信システム１００は、放送信号を受信して、その放送番組の再生や記録を行なうものであり、図１に示すように、車載用ＴＶ受信装置１と放送番組記録装置２１０とをそなえて構成されている。
【００１５】
車載用ＴＶ受信装置（移動体搭載装置）１は、自動車等の移動体（図示省略）に搭載されるものであって、図１に示すように、チューナ（受信部）２４，車速パルス入力部２２，タッチパネル２３（入力部２３１，表示部２３２，キーワード入力部，記録条件入力部），スピーカ２３３，ハードディスク（記録条件情報格納部，視聴履歴格納部）２７，ＣＰＵ１０，無線通信部２８およびアンテナ２５，２９をそなえて構成されている。
【００１６】
なお、本実施形態においては、移動体の例として自動車（図示省略）を用いる場合について説明するものとし、以下、自動車に車載用ＴＶ受信装置１が搭載された例について説明する。
チューナ（受信部）２４は、放送局等から発信される放送番組に関する放送電波（放送信号）をアンテナ２５によって受信し、その放送信号に含まれる映像信号や音声信号の増幅や復号を行なうことによって、放送番組の映像や音声を抽出して、表示部２３２やスピーカ２３３によって再生可能にするものである。
【００１７】
本実施形態においては、放送番組とは、例えば、テレビ局から放映される番組の映像や音声を指すものとし、放送信号とは、その放送番組を配信するために生成された信号を指すものとする。又、放送信号は、映像を増幅・変調して生成された映像信号と、音声を増幅・変調して生成された音声信号とをそなえ、これらの映像信号と音声信号とを合成することによって生成された電波（データ）として、放送局等から配信されるようになっている。
【００１８】
なお、放送局から発信されチューナ２４によって受信される放送電波は、アナログ放送信号であってもデジタル放送信号であってもよく、又、アナログ放送信号とデジタル放送信号の両方であってもよく、本発明の主旨を逸脱しない範囲で種々変形して実施することができる。
スピーカ２３３は、種々の音声を出力・再生するものであって、チューナ２４によって受信された放送番組の音声等を再生するようになっている。
【００１９】
タッチパネル２３は、タッチパネル付きディスプレイ装置（以下、タッチパネル２３という）として構成され、種々の情報やチューナ２４によって受信された放送番組の映像を表示する表示部２３２としての機能と、自動車の搭乗者（以下、オペレータという場合もある）が種々の情報や指示等の入力操作を行なうための入力部（キーワード入力部，記録条件入力部）２３１としての機能とを兼ね備えるものである。
【００２０】
このタッチパネル２３は、例えばタッチパネル付き液晶ディスプレイとして構成され、インストルメントパネル等の、自動車の車室空間において搭乗者が見ることができる位置に配置されている。
そして、オペレータは、このタッチパネル２３（入力部２３１）により、記録部１７により放送番組の記録を行なうための記録条件を入力したり、記録部１７により記録を行なう放送番組を特定するためのキーワードを入力したりするようになっている。なお、これらの記録条件やキーワードの入力に関する詳細については後述する。
【００２１】
車速パルス入力部２２は、自動車から出力される車速パルス信号を入力されるものであり、入力された車速パルス信号をＣＰＵ１０に通知するようになっている。なお、車速パルス入力部２２は、自動車から出力される車速パルス信号に限定されるものではなく、後述するカーナビゲーションシステム３０において取得される自動車の移動距離や時間に基づいて、車速パルス信号を換算して取得してもよく、本発明の主旨を逸脱しない範囲で種々変形して実施することができる。
【００２２】
ハードディスク２７は、種々のアプリケーションやＯＳ（Operating System），データ等を記録するものである。又、本放送番組受信システム１００においては、ハードディスク２７は、チューナ２４によって受信された放送番組を、後述する記録部１７により記録されるようになっている。
また、ハードディスク２７は、放送番組の記録を行なうための記録条件を記録条件データベース（記録条件情報）２７１として記録するようになっており、記録条件情報格納部としても機能するようになっている。記録条件データベース２７１は、例えば、受信チャンネルに対して、時間帯（例えば、録画開始時間および録画終了時間），曜日，場所等を関連付けることにより構成され、後述する制御部１１が、この記録条件が満たされる時に、その受信チャンネルの放送番組をハードディスク２７に記録させるようになっている。
【００２３】
例えば、記録条件データベース２７１に、特定の「曜日（例えば、月曜日）」と特定の「時間帯（例えば、７時〜７時４５分）」と特定の「受信チャンネル（例えば、１チャンネル）」とが記録条件として互いに関連付けて設定されている場合には、月曜日の７時〜７時４５分に、その時間帯において１チャンネルで放送されている番組が、ハードディスク２７に記録（録画）されるのである。
【００２４】
また、記録条件データベース２７１における「場所」とは、例えば道路や交差点等の位置情報（地図情報）であって、本放送番組受信システム１００の利用に際して、利用者は、その場所を通過する際に放送番組の録画を行なう場所を予め定め、その場所をタッチパネル２３を用いて入力する。このようにして入力された位置情報も録画条件として、記録条件データベース２７１の一種である地図データベース（地図ＤＢ）２７３に記録される。
【００２５】
例えば、渋滞時には自動車の走行速度が遅くなるので、電界の急激な変化等による放送信号の電波受信具合の変化が少なく、受信映像の画質が安定することが多い。このように、渋滞に巻き込まれることが予測される場合に、その渋滞する場所および、その渋滞に遭遇すると予想される時間帯を記録条件として記録条件データベース２７１に登録しておくことにより、画質の良好な放送番組を記録することができる。
【００２６】
また、ハードディスク２７は、タッチパネル２３によって表示された放送番組に関する情報を視聴履歴２７２として格納するようになっており、視聴履歴格納部としても機能するようになっている。この視聴履歴２７２は、タッチパネル２３に表示された放送番組について、例えば、その受信チャンネル（ｃｈ），放送時間帯，曜日，視聴された場所を互いに関連付けるものである。なお、視聴された場所とは、その放送番組を表示部２３２に表示させた際における、その自動車の位置であって、例えば、カーナビゲーションシステム３０によって取得することができる。
【００２７】
無線通信部２８は、例えば無線ＬＡＮ（Local Area Network）アダプタ等により構成され、アンテナ２９を介して無線ＬＡＮ基地局（図示省略）等と接続することにより、車載用ＴＶ受信装置１をインターネット５０を介して放送番組記録装置２１０（後述）と通信可能に接続するものである。
ＣＰＵ（Central Processing Unit）１０は、ハードディスク２７や図示しないＲＡＭ（Random Access Memory）やＲＯＭ（Read Only Memory）に格納されたＯＳ（Operating System）やプログラムを演算・実行することにより、車載用ＴＶ受信装置１における種々の機能を実現するものであり、このＣＰＵ１０が、放送番組受信プログラムを実行することにより、後述する、記録部１７，受信品質判定部１６，記録条件設定部１８，記録条件作成部１９，制御部１１，条件記録制御部１２，キーワード検索部１３，電子番組表情報取得部１４および収録指示部１５として機能するようになっている。
【００２８】
なお、これらの記録部１７，受信品質判定部１６，記録条件設定部１８，記録条件作成部１９，制御部１１，条件記録制御部１２，キーワード検索部１３，電子番組表情報取得部１４および収録指示部１５としての機能を実現するためのプログラム（放送番組受信プログラム）は、例えばフレキシブルディスク，ＣＤ（ＣＤ−ＲＯＭ，ＣＤ−Ｒ，ＣＤ−ＲＷ等），ＤＶＤ（ＤＶＤ−ＲＯＭ，ＤＶＤ−ＲＡＭ，ＤＶＤ−Ｒ，ＤＶＤ＋Ｒ，ＤＶＤ−ＲＷ，ＤＶＤ＋ＲＷ等），磁気ディスク，光ディスク，光磁気ディスク等の、コンピュータ読取可能な記録媒体に記録された形態で提供される。そして、コンピュータはその記録媒体からプログラムを読み取って内部記憶装置または外部記憶装置に転送し格納して用いる。又、そのプログラムを、例えば磁気ディスク，光ディスク，光磁気ディスク等の記憶装置（記録媒体）に記録しておき、その記憶装置から通信経路を介してコンピュータに提供するようにしてもよい。
【００２９】
記録部１７，受信品質判定部１６，記録条件設定部１８，記録条件作成部１９，制御部１１，条件記録制御部１２，キーワード検索部１３，電子番組表情報取得部１４および収録指示部１５としての機能を実現する際には、内部記憶装置（ＲＡＭやＲＯＭ等のメモリ）に格納されたプログラムがコンピュータのマイクロプロセッサ（本実施形態ではＣＰＵ１０）によって実行される。このとき、記録媒体に記録されたプログラムをコンピュータが読み取って実行するようにしてもよい。
【００３０】
なお、本実施形態において、コンピュータとは、ハードウェアとオペレーティングシステムとを含む概念であり、オペレーティングシステムの制御の下で動作するハードウェアを意味している。又、オペレーティングシステムが不要でアプリケーションプログラム単独でハードウェアを動作させるような場合には、そのハードウェア自体がコンピュータに相当する。ハードウェアは、少なくとも、ＣＰＵ等のマイクロプロセッサと、記録媒体に記録されたコンピュータプログラムを読み取るための手段とをそなえており、本実施形態においては、車載用ＴＶ受信装置１がコンピュータとしての機能を有しているのである。
【００３１】
さらに、本実施形態における記録媒体としては、上述したフレキシブルディスク，ＣＤ，ＤＶＤ，磁気ディスク，光ディスク，光磁気ディスクのほか、ＩＣカード，ＲＯＭカートリッジ，磁気テープ，パンチカード，コンピュータの内部記憶装置，外部記憶装置等や、バーコードなどの符号が印刷された印刷物等のコンピュータ読取可能な種々の媒体を利用することができる。
【００３２】
記録部１７は、チューナ２４によって受信された放送信号の放送番組（映像・音声）をハードディスク２７に記録させるように、ハードディスク２７への書き込みや読み出し等の制御を行なうものであり、後述する制御部１１による制御に従って、ハードディスク２７に放送番組の記録を行なうようになっている。
すなわち、本車載用ＴＶ受信装置１においては、記録部１７，ハードディスク２７およびチューナ２４が、放送番組をハードディスク２７に記録するハードディスクビデオレコーダとしての機能を実現するようになっている。
【００３３】
電子番組表情報取得部１４は、放送番組に関する番組情報をそなえた電子番組表情報を取得するものであって、例えば、ＡＤＡＭＳ（TV-Asahi Data and Multimedia Service）やＧガイド（米Gemstar-TV Guide International, Incの日本国内における登録商標）によって配信されるＥＰＧ（Electric Program Guide；電子番組ガイド，電子番組表情報）や、インターネット上の種々の番組表サイトが提供するｉＥＰＧ（Internet Electric Program Guide；インターネット電子番組ガイド，電子番組表情報）を取得するようになっている。
【００３４】
これらの、ＥＰＧやｉＥＰＧは、放送用電波やインターネットを使って配信されているテレビ番組表情報であって、車載用ＴＶ受信装置１においては、電子番組表情報取得部１４によって取得されたＥＰＧやｉＥＰＧから、受信チャンネルや放送時間帯，その他の情報を取得し、録画予約を行なったり、番組の検索等を行なうことができるようになっている。
【００３５】
記録条件作成部１９は、ハードディスク２７に格納された視聴履歴２７２に基づいて記録条件を作成するものであって、例えば、視聴頻度や視聴の累積時間が多い放送番組，受信チャンネル（ｃｈ），放送時間帯，曜日，視聴された場所等を抽出し、記録条件として作成するようになっている。
具体的には、記録条件作成部１９は、視聴履歴２７２に基づいて視聴時間や視聴回数を積算することにより、視聴頻度が多い放送番組、すなわち、その自動車の搭乗者がよく視聴する放送番組を解析して、その受信チャンネル，放送時間帯，曜日，視聴された場所等を取得し、記録条件として用いてもよく、又、受信チャンネル，放送時間帯，曜日，視聴された場所の各条件についてそれぞれ視聴時間や視聴回数の積算を行なうことにより、視聴頻度が多い受信チャンネル，視聴頻度が多い放送時間帯，視聴頻度が多い曜日，視聴頻度が多い場所等の情報をそれぞれ取得し、頻度が最も多い各値を組み合わせたものを記録条件として用いてもよい。
【００３６】
また、この記録条件作成部１９によって作成された記録条件は、前述した記録条件データベース２７１としてハードディスク２７に記録されるようになっている。
記録条件設定部１８は、記録部１７により放送番組の記録（自動録画記録）を行なうための条件を設定するものであり、例えば、タッチパネル２３に録画条件入力画面２３ａ（図２参照）を表示させ、この録画条件入力画面２３ａを介して入力される記録条件を取得し、ハードディスク（記録条件情報格納部）２７に記録条件情報として格納させるようになっている。
【００３７】
図２は本発明の一実施形態としての放送番組受信システム１００における車載用ＴＶ受信装置１のタッチパネル２３に表示される録画条件入力画面２３ａの例を示す図である。
録画条件入力画面２３ａは、タッチパネル２３に表示される画面であって、自動録画機能の録画条件（記録条件）をオペレータに提示し、又、入力を行なわせるためのものである。この録画条件入力画面２３ａは、図２に示すように、設定項目２４１，２４２，選択設定項目２４１−１，２４１−２，２４２−１〜２４２−４およびナビゲーションタッチスイッチ２４３〜２５２をそなえて構成されている。
【００３８】
ナビゲーションタッチスイッチ２４３〜２５２は、オペレータが種々の入力操作や選択操作を行なうためのスイッチであって、予め種々の機能が割り当てられており、オペレータが触れることにより選択・入力が行なわれるようになっている。
図２に示す例においては、ナビゲーションタッチスイッチ２４４〜２４７には選択項目を切り替えるための移動がそれぞれ割り当てられており、又、ナビゲーションタッチスイッチ２４３には、実行が割り当てられている。
【００３９】
また、図２に示す例においては、ナビゲーションタッチスイッチ２４３〜２５２は、録画条件入力画面２３ａにおける左側位置から下側位置にかけて形成されたナビゲーションタッチスイッチ領域２５３に配置され、又、ナビゲーションスイッチ２４３〜２５２をそれぞれボタン１〜１０と示している。
オペレータは、これらのナビゲーションスイッチ２４３〜２５２を用いて、設定項目２４１，２４２，選択設定項目２４１−１，２４１−２，２４２−１〜２４２−４の選択や設定を行なうようになっている。
【００４０】
設定項目２４１，２４２は、オペレータが設定可能な項目を示すものであり、設定項目２４１は「自動録画」を、設定項目２４２は「録画条件」をそれぞれ示している。選択設定項目２４１−１，２４１−２は設定可能な選択肢であり、図２に示す例においては、「自動録画」について、「ＯＮ（選択設定項目２４１−１）」もしくは「ＯＦＦ（選択設定項目２４１−２）」のいずれかを選択可能になっている。
【００４１】
オペレータは、自動録画の設定を行なう場合には、「ＯＮ（選択設定項目２４１−１）」を、又、自動録画の設定を行なわない場合には「ＯＦＦ（選択設定項目２４１−２）」を選択する。そして、「自動録画」において「ＯＮ（選択設定項目２４１−１）」が設定されている場合には、記録条件設定部１８は、例えばハードディスク２７にその旨を示すフラグを設定するようになっており、このようなフラグが設定されている場合に、後述する条件記録制御部１２が、制御部１１に対して記録部１７に放送番組の自動録画（記録）を行なわせるようになっている。
【００４２】
また、設定項目２４２−１〜２４２−４は、自動録画を行なうための録画条件としてオペレータが選択可能な項目であり、図２に示す例においては、「録画条件」として、「よくみる受信ｃｈ（選択設定項目２４２−１）」， 「よくみる時間帯（選択設定項目２４２−２）」，「よくみる曜日（選択設定項目２４２−３）」および「よくみる場所の番組（選択設定項目２４２−４）」の少なくともいずれか１つを任意に選択可能になっており、オペレータが、「録画条件」として、これらの選択設定項目２４２−１〜２４２−４の中から「録画条件」として用いるものを選択するようになっている。
【００４３】
なお、これらの「よくみる受信ｃｈ（選択設定項目２４２−１）」， 「よくみる時間帯（選択設定項目２４２−２）」，「よくみる曜日（選択設定項目２４２−３）」および「よくみる場所の番組（選択設定項目２４２−４）」は、上述した記録条件作成部１９によって記録条件として作成された、受信チャンネル（ｃｈ），放送時間帯，曜日，視聴された場所がそれぞれ推奨値として設定されるようになっている。
【００４４】
視聴頻度が多い放送番組は、その放送番組の視聴時に放送電波の受信品質が良いことが多いので、このような視聴頻度が多い放送番組を視聴するため受信チャンネルや放送時間帯等を推奨値として設定することにより、受信品質の良い放送番組を受信・記録できる可能性を高めることができる。
また、これらの「よくみる受信ｃｈ（選択設定項目２４２−１）」， 「よくみる時間帯（選択設定項目２４２−２）」，「よくみる曜日（選択設定項目２４２−３）」および「よくみる場所の番組（選択設定項目２４２−４）」として設定された値は、オペレータが変更することができるようになっており、例えば、録画条件入力画面２３ａにおいて、オペレータが、「よくみる受信ｃｈ（選択設定項目２４２−１）」， 「よくみる時間帯（選択設定項目２４２−２）」，「よくみる曜日（選択設定項目２４２−３）」および「よくみる場所の番組（選択設定項目２４２−４）」のいずれかを選択し、編集を行なう旨の入力操作を行なうことにより、図示しない編集用画面が表示部２３２に表示され、この編集用画面において希望する受信ｃｈ，時間帯，曜日等を入力・選択することにより、推奨値として先に登録されていた情報が、新たに入力・選択された情報によって置換されるようになっている。このようにして、オペレータが希望する記録条件を設定することができるようになっている。
【００４５】
さらに、通勤途中等において渋滞に巻き込まれ易い場所が経験的にわかっている場合には、その場所を通過する時間帯，曜日を記録条件として設定することにより、良好な品質で放送番組を受信・記録することができる確率を高くすることができる。
なお、録画条件入力画面２３ａにおいては、選択された設定の表示色を変えたり、点滅させたりすることにより、選択状態をオペレータに明示することが望ましい。図２に示す例においては、「自動録画」について「ＯＮ（選択設定項目２４１−１）」が、又、「録画条件」について「よくみる受信ｃｈ（選択設定項目２４２−１）」がそれぞれ設定された状態を示している。
【００４６】
また、択設定項目２４１−１，２４１−２，２４２−１〜２４２−４の選択・設定操作は、ナビゲーションタッチスイッチ２４３〜２５２を用いることに限定されるものではなく、例えば、録画条件入力画面２３ａにおいて、これらの択設定項目２４１−１，２４１−２，２４２−１〜２４２−４に対して、各項目の編集用画面（図示省略）への切替え処理をそれぞれ割り当て、オペレータがこれらの択設定項目２４１−１，２４１−２，２４２−１〜２４２−４に直接タッチ（選択）することにより、オペレータが希望する記録条件を設定できるようにしてもよい。
【００４７】
記録条件設定部１８は、キーワード検索部１３としての機能をそなえている。キーワード検索部１３は、入力部（キーワード入力部）２３１によって入力されたキーワードと電子番組表情報取得部１４によって取得された電子番組表情報（ＥＰＧ，ｉＥＰＧ）とに基づいて、番組情報がキーワードに一致もしくは一部一致する該放送番組を検索するものである。
【００４８】
図３は本発明の一実施形態としての放送番組受信システム１００における車載用ＴＶ受信装置１のタッチパネル２３に表示されるキーワード入力画面２３ｂの例を示す図である。
キーワード入力画面２３ｂは、タッチパネル２３に表示される画面であって、オペレータが視聴したりハードディスク２７に記録したりする放送番組を特定するためのキーワードを入力するためのものである。
【００４９】
このキーワード入力画面２３ｂは、図３に示すように、設定項目２５４，文字キー２５５および入力設定窓２５６をそなえて構成されている。
設定項目２５４は、オペレータによるキーワード入力を行なうことを示すものである。文字キー（選択設定キー）２５５は、「あ」〜「ん」等のひらがなや濁点，半濁点等に対応して複数設けられ、各文字キー２５５に、ひらがなや濁点等がそれぞれ割り当てられており、オペレータが、これらの文字キー２５５を選択することにより、対応するひらがなや濁点等の入力が行なわれるようになっている。なお、図３に示す例においては、文字キー２５５はひらがなや濁点等に割り当てられているが、これに限定されるものではなく、英数字や他の記号等、キーワードとして利用可能な種々の文字や記号を割り当ててもよく、本発明の趣旨を逸脱しない範囲で種々変形して実施することができる。
【００５０】
また、図３に示す例においては、これらの文字キー２５５は、キーワード入力画面２３ｂにおけるほぼ中央位置から下側位置にかけて形成されたナビゲーションタッチスイッチ領域２５７に配置されている。
なお、このキーワード入力画面２３ｂから入力されたキーワードは、メモリ（図示省略）等に一時的に格納されるようになっている。
【００５１】
入力設定窓２５６は、オペレータが文字キー２５５により選択・入力した文字列等を表示するものであり、オペレータはこの入力設定窓２５６に表示された文字列により、入力したキーワードを確認することができるようになっている。
キーワード検索部１３は、キーワード入力画面２３ｂにおいて入力され、メモリに格納されたキーワードと電子番組表情報取得部１４によって取得された電子番組表情報（ＥＰＧ，ｉＥＰＧ）とに基づいて、キーワードに一致もしくは一部一致する番組情報を有する放送番組を検索するようになっている。
【００５２】
また、キーワード検索部１３による検索結果は、確認画面（図示省略）としてタッチパネル２３に表示され、オペレータは、この確認画面において検索結果を確認し、又、検索の結果、複数の放送番組が得られた場合には、これらの複数の放送番組の中から視聴を希望する１以上の放送番組を選択したり、更に絞込検索を行なったりすることができるようになっている。
【００５３】
カーナビゲーションシステム３０は、走行中の自動車の現在位置，進行方向等の情報を人工衛星・地磁気計・走行距離計などを利用して測定し、タッチパネル２３等に表示して運転者に知らせるものであり、走行中の自動車の現在位置や、自動車の移動距離，車速等等の情報を車載用ＴＶ受信装置１に通知するようになっている。
無線通信部２８は、車載用ＴＶ受信装置１をインターネット５０と無線により通信可能に接続するものであり、
受信品質判定部１６は、チューナ２４によって受信された放送信号について、その受信品質を判定するものである。この受信品質判定部１６は、例えば、ＩＦ／ＲＦ  ＡＧＣ（Automatic Gain Control；自動利得制御）電圧のレベルや、変化量，変動頻度等に基づいて、これらの値を予め設定された閾値と比較することにより、受信品質の劣化の検出を行なうようになっており、ＩＦ／ＲＦ  ＡＧＣ電圧のレベル，変化量，変動頻度の少なくとも１つが閾値を越えたことを検出すると、受信品質が悪くなったと判断するようになっている。
【００５４】
この受信品質判定部１６は、チューナ２４によって受信された放送信号に含まれる画像信号と音声信号について、これらの画像信号の品質と音声信号とのそれぞれに対して受信品質を判定することができるようになっている。
制御部１１は、記録部１７による放送番組の記録を制御するものであり、受信品質判定部１６により放送信号の受信品質が悪いと判断された場合に、記録部１７にハードディスク２７への記録を停止させるように制御するようになっている。
【００５５】
また、制御部１１は、受信品質判定部１６により放送信号の受信品質が悪いと判断され、且つ、車載用ＴＶ受信装置１がインターネット５０を介して放送番組記録装置２１０に接続されている場合に、後述する収録指示部１５に対して放送番組記録装置２１０に対する収録指示を行なわせるようになっている。
さらに、制御部１１は、受信品質判定部１６により放送信号の受信品質が悪いと判断されたが、車載用ＴＶ受信装置１がインターネット５０を介して放送番組記録装置２１０に接続されていない場合には、タッチパネル２３に放送番組を受信できない旨を示すメッセージ等を表示させたり、スピーカ２３３から放送番組を受信できない旨を示す音声や警告音を出力させたりすることにより、オペレータに通知するようになっている。
【００５６】
条件記録制御部１２は、記録条件設定部１８によって設定された記録条件が満たされたときに、制御部１１に対して記録部１７に放送番組の記録を行なわせるように制御を行なうものであり、ハードディスク２７に格納された記録条件が満たされているか否かを判断し、この記録条件が満たされたときに、制御部１１に対して記録部１７に放送番組の記録を行なわせるように制御を行なうようになっている。
【００５７】
この条件記録制御部１２は、例えば、ハードディスク２７に自動録画を行なう旨を示すフラグが設定さている場合であって、記録条件設定部１８によって記録条件データベース２７１に、特定の曜日（例えば、月曜日）の特定の時間帯（例えば、７時〜７時４５分）において特定の受信チャンネル（例えば、１チャンネル）が、記録条件として設定がされている場合には、条件記録制御部１２は、その特定の曜日のその時間帯に、特定の受信チャンネルの録画を行なわせる。
【００５８】
無線通信部２８は、図示しない無線基地局とアンテナ２９とを介して無線通信接続することにより、インターネット５０と車載用ＴＶ受信装置１とを通信可能に接続するものである。
収録指示部１５は、受信品質判定部１６により放送信号の受信品質が悪いと判断された場合に、後述する放送番組記録装置２１０に対して収録指示を行なうものであり、例えば、収録指示を示すコマンドを送信するとともに、収録する放送番組についての受信チャンネルや放送時間帯等、放送番組の録画に必要な情報を、無線通信部２８やインターネット５０を介して通知するようになっている。
【００５９】
インターネット５０は、ＬＡＮ（Local Area Network）やＷＡＮ（Wide Area Network）として構成された通信回線であって、車載用ＴＶ受信装置１と放送番組記録装置２１０とを通信可能に接続するものである。
放送番組記録装置２１０は、放送信号を受信してその放送番組を記録するものであり、例えば、自動車の搭乗者の自宅（自宅２００）や放送番組の録画をサービスとして行なうサービスセンタ等に設置され、車載用ＴＶ受信装置１とインターネット５０を介して通信可能に接続されている。なお、本実施形態においては、放送番組記録装置２１０が自動車の搭乗者の自宅２００に設置されている場合を例として説明する。
【００６０】
この放送番組記録装置２１０は、図１に示すように、チューナ２０１，記録部２０２，記録媒体２０４および収録指示受信部２０５をそなえて構成されている。
チューナ（第１受信部）２０１は、放送局等から発信される放送電波（放送信号）をアンテナ２０３によって受信し、その放送信号に含まれる映像信号や音声信号や復号して、自宅２００にそなえられたモニタ（図示省略）等によって再生可能にするものであり、車載用ＴＶ受信装置１のチューナ２４とほぼ同様の機能・構成をそなえている。
【００６１】
収録指示受信部２０５は、車載用ＴＶ受信装置１の収録指示部１５から放送番組の収録指示を受信するものである。この収録指示受信部２０５は、例えば、インターネット５０に放送番組記録装置２１０を通信可能に接続するためのネットワーク機器をそなえて構成され、収録指示部１５から、収録指示を示すコマンド（収録指示）とともに、収録する放送番組についての受信チャンネルや放送時間帯等の情報をインターネット５０を介して受信するようになっている。
【００６２】
記録部（第１記録部）２０２は、チューナ２０１によって受信された放送信号の放送番組を記録媒体２０４に記録（録画）させるものである。又、記録部２０２は、収録指示受信部２０５が、車載用ＴＶ受信装置１の収録指示部１５から放送番組の収録指示を受信した場合に、その収録指示とともに受信した受信チャンネルや放送時間帯に基づいて、その放送番組を記録媒体２０４に録画するようになっている。
【００６３】
記録媒体（第１記録部）２０４は、放送番組を格納（録画，記録）するものであって、例えば、ハードディスクや磁気テープ，ＤＶＤ（ＤＶＤ−ＲＡＭ，ＤＶＤ−Ｒ，ＤＶＤ＋Ｒ，ＤＶＤ−ＲＷ，ＤＶＤ＋ＲＷ等），メモリカード等、データを読み書き可能な種々の記録媒体によって構成されている。又、この記録媒体２０４に記録された放送番組は、自動車の搭乗者等が自宅２００に戻った際に、再生することができるようになっている。
【００６４】
上述の如く構成された本発明の一実施形態としての放送番組受信システム１００における放送番組の受信時の処理を、図４に示すフローチャート（ステップＡ１０〜Ａ８０）に従って説明する。
先ず、受信品質判定部１６によって放送信号の受信品質の判定を行なうための設定（受信品質検出設定）が行なわれる（ステップＡ１０）。例えば、受信品質が良好であるか否かの判定を行なうための閾値等の設定が行われ、具体的には、ＩＦ／ＲＦ  ＡＧＣ電圧のレベルや、変化量，変動頻度等の閾値の少なくとも一つの設定が行なわれる。これらの閾値の設定は、オペレータが行なってもよく、又、車載用ＴＶ受信装置１の工場出荷時等においてメーカや販売店等が行なってもよい。
【００６５】
チューナ２４が放送番組の放送信号を受信し（ステップＡ２０）、受信品質判定部１６が、その放送信号の受信品質を判定する（ステップＡ３０）。受信品質が良好である場合には（ステップＡ３０のＹＥＳルート参照）、条件記録制御部１２が、記録条件設定部１８によって設定された放送番組の自動録画を行なうための条件（録画条件）が満たされているか否かを判断し（ステップＡ４０）、この録画条件が満たされている場合には（ステップＡ４０のＹＥＳルート参照）、制御部１１は、記録部１７に対してその放送番組をハードディスク２７に録画させる（ステップＡ５０）。
【００６６】
また、録画条件が満たされていない場合には（ステップＡ４０のＮＯルート参照）、ステップＡ２０に戻る。
一方、受信品質が良好ではない場合には（ステップＡ３０のＮＯルート参照）、制御部１１は、記録部１７に対してその放送番組をハードディスク２７に録画させずに、無線通信部２８によりインターネット５０に接続可能であるか否かを判断する（ステップＡ６０）。インターネット５０に接続可能である場合には（ステップＡ６０のＹＥＳルート参照）、収録指示部１５が、このインターネット５０を介して、自宅２００の放送番組記録装置２１０に対して放送番組の録画指示を行なう（ステップＡ７０）。
【００６７】
そして、放送番組記録装置２１は、この録画指示に従って、録画指示とともに通知された情報（受信チャネル，放送時間帯）に基づいて、放送番組の録画を行なう。
また、インターネット５０への接続ができない場合には（ステップＡ６０のＮＯルート参照）、タッチパネル２３やスピーカ２３３からユーザに対して、放送電波を受信できない旨の通知を行なう（ステップＡ８０）。
【００６８】
このように、本発明の第１実施形態としての放送番組受信システム１００によれば、放送信号の受信品質が低下した場合に、ハードディスク２７へのその放送番組の記録を停止させることにより、視聴に耐えられない受信品質の放送番組を記録することによるハードディスク２７の無駄な利用を防止することができ、ハードディスク２７を効率的に用いることができる。
【００６９】
また、予めハードディスク２７に、放送番組の記録を行なうための記録条件を記録条件データベース２７１として記録しておき、条件記録制御部１２が、この記録条件が満たされたときに、制御部１１に対して記録部１７に放送番組の記録を行なわせるように制御を行なうことにより、オペレータが視聴を希望する放送番組を記録することができ、利便性が高い。
【００７０】
さらに、例えば渋滞に巻き込まれやすい場所のように、自動車の走行速度が低下する等して放送番組を良好な品質で受信することができることが経験的にわかっている時間帯や曜日等を記録条件として設定し、この記録条件が満たされる時に放送番組の録画を行なうことにより、良好な品質で放送番組を記録することができる確率を高くすることができる。
【００７１】
また、オペレータが、タッチパネル２３に表示されたキーワード入力画面２３ｂにより、視聴やハードディスク２７への記録を行なう放送番組を特定するためのキーワードを入力し、キーワード検索部１３が、この入力されたキーワードと電子番組表情報取得部１４によって取得された電子番組表情報（ＥＰＧ，ｉＥＰＧ）とに基づいて、番組情報がキーワードに一致もしくは一部一致する放送番組を検索するので、オペレータが希望する放送番組を容易かつ迅速に取得することができ、利便性が高い。
【００７２】
ハードディスク２７には、品質の良好な放送番組が記録されるので、オペレータは、休憩時等に品質の良好な放送番組を視聴することができる。
（Ｂ）変形例の説明
（Ｂ−１）第１変形例の説明
図５は本発明の一実施形態としての放送番組受信システム１００の変形例における車載用ＴＶ受信装置１のタッチパネル２３に表示される録画条件入力画面２３ｃの例を示す図である。
【００７３】
この図５に示す録画条件入力画面２３ｃにおいては、図２に示す録画条件入力画面２３ａにおける選択設定項目２４２−１〜２４２−４に代えて、選択設定アイコン２６２−１〜２６２−４がそなえられ、更に、スクロールボタン２６３ａ，２６３ｂがそなえられている。
なお、図中、既述の符号と同一の符号は同一もしくは略同一の部分を示しているので、その詳細な説明は省略する。
【００７４】
選択設定アイコン２６２−１〜２６２−４は、予め特定のキーワード（例えば、野球やゴルフ，相撲）が関連付けられたアイコンである。そして、録画条件入力画面２３ｃにおいては、そのキーワードの内容を表わす絵が形成されている。なお、図５に示す例においては、これらの絵に代えて「（野球のアイコン）」（選択設定アイコン２６２−１参照），「（ゴルフのアイコン）」（選択設定アイコン２６２−２参照），「（相撲のアイコン）」（選択設定アイコン２６２−３参照）および「（その他アイコン）」（選択設定アイコン２６２−４参照）の文字が選択設定アイコン２６２−１〜２６２−４に示されているが、実際には、例えば、野球，ゴルフ，相撲をイメージさせる絵（例えば、野球やゴルフのプレーヤやボール，相撲取りの絵）等を表示することが望ましい。
【００７５】
また、録画条件設定画面２３ｃにおいては、所定数（図５に示す例では４つ）の選択設定アイコンが表示されるようになっており、選択設定アイコンが４以上ある場合には、オペレータが、スクロールボタン２６３ａ，２６３ｂを選択することにより、録画条件設定画面２３ｃに表示されている選択設定アイコン２６２−１〜２６２−４以外の選択設定アイコンが録画条件入力画面２３ａに順次表示されるようになっている。
【００７６】
スクロールボタン２６３ａ，２６３ｂは、タッチパネル２３に表示されている４つの選択設定アイコン２６２−１〜２６２−４に代えて、タッチパネル２３に表示されていない他の選択設定アイコンを表示させるものであり、オペレータがスクロールボタン２６３ａ，２６３ｂを選択することにより、録画設定画面２３ｃに表示されている選択設定アイコン２６２−１〜２６２−４が上方もしくは下方に順次切り替えられ、新たな選択設定アイコンが表示されるようになっている。
【００７７】
また、オペレータは、選択設定アイコン２６２−１〜２６２−４の中から複数の選択設定アイコン２６２−１〜２６２−４を選択してもよい。
オペレータによって選択設定アイコン２６２−１〜２６２−４が選択されると、その選択設定アイコン２６２−１〜２６２−４に関連付けられたキーワードがキーワード検索部１３に送られ、キーワード検索部１３は、このキーワードを用いて、電子番組表情報取得部１４によって取得された電子番組表情報（ＥＰＧ，ｉＥＰＧ）を検索し、番組情報がキーワードに一致もしくは一部一致する該放送番組を取得するのである。
【００７８】
これにより、上述した実施形態と同様の作用効果を得ることができる他、オペレータが繁雑なキーワードの入力操作を行なう必要がなく、視聴・録画を希望する放送番組を容易かつ迅速に取得することができる。
（Ｂ−２）第２変形例の説明
本放送番組受信システム１００の第２変形例においては、録画条件に優先順位を設定することができるようになっている。
【００７９】
図６は本発明の一実施形態としての放送番組受信システム１００の他の変形例における車載用ＴＶ受信装置１のタッチパネル２３に表示される録画条件入力画面２３ｄの例を示す図である。
この図６に示す録画条件入力画面２３ｄにおいては、図５に示す録画条件入力画面２３ｃにおける設定項目２４１，２４２に代えて設定項目２６５をそなえるとともに、選択設定設定アイコン２６２−１〜２６２−４に対応させて、優先順位表示部２６４−１〜２６４−４がそなえられている。
【００８０】
なお、図中、既述の符号と同一の符号は同一もしくは略同一の部分を示しているので、その詳細な説明は省略する。
設定項目２６５は選択設定設定アイコン２６２−１〜２６２−４に設定された優先順位（「録画優先順位」）を示すものであり、選択設定設定アイコン２６２−１〜２６２−４に優先順位表示部２６４−１〜２６４−４を対応させて示している。
【００８１】
優先順位表示部２６４−１〜２６４−４は、選択設定設定アイコン２６２−１〜２６２−４の優先順位を示すものであって、優先順位表示部２６４−１は選択設定設定アイコン２６２−１の、優先順位表示部２６４−２は選択設定設定アイコン２６２−２に、優先順位表示部２６４−３は選択設定設定アイコン２６２−３に、優先順位表示部２６４−４は選択設定設定アイコン２６２−４に、設定された優先順位をそれぞれ示すものである。
【００８２】
また、オペレータは、録画条件入力画面２３ｄにおいて、各優先順位表示部２６４−１〜２６４−４を選択することにより、新たに優先順位を設定したり、又、既に設定されている優先順位を変更したりすることができるようになっている。
なお、優先順位表示部２６４−１〜２６４−４は、例えば、記録条件データベース等に、その記録条件に対応させて格納されるようになっている。
【００８３】
そして、本変形例においては、条件記録制御部１２は、複数の記録条件が設定されている際に、この優先順位表示部２６４−１〜２６４−４に設定された優先順位に従って、放送番組の記録を行なうようになっている。
例えば、図６に示す例においては、「相撲（選択設定設定アイコン２６２−３）」に優先順位１が、「野球（選択設定設定アイコン２６２−１）」に優先順位２が設定されており、同じ時間帯に相撲中継と野球中継とが放送された場合には、条件記録制御部１２は、優先順位を高く設定された相撲の放送番組を優先的に録画する。
【００８４】
このように、本変形例によれば、上述した実施形態と同様の作用効果を得ることができる他、複数の記録条件が設定されている際に、これらの記録条件に優先順位を設定することができるので、記録条件間で相反する条件が設定された場合においても、条件記録制御部１２が、優先順位表示部２６４−１〜２６４−４に設定された優先順位に従って、放送番組の記録を行なうことができ、オペレータが視聴を希望する放送番組を録画することができ、信頼性を向上させることができる。
【００８５】
（Ｂ−３）第３変形例の説明
本放送番組受信システム１００の第３変形例においては、制御部１１は、チューナ２４によって受信された放送信号について、受信品質判定部１６により、画像信号の品質は悪いが、音声信号の品質が良好であると判断された場合に、記録部１７に対して、ハードディスク２７への放送番組の画像の記録を禁止させるとともに、放送番組の音声をハードディスク２７に記録させるように制御するようになっている。
【００８６】
これにより、本変形例によれば、上述した実施形態と同様の作用効果を得ることができる他、ハードディスク２７へのその放送番組の画像の記録を停止させることにより、視聴に耐えない放送番組の画像を記録することによるハードディスク２７の無駄な利用を防止することができ、ハードディスク２７を効率的に用いることができるとともに、オペレータが、少なくとも放送番組の音声を楽しむことができ、満足度を向上させることができる。
【００８７】
（Ｃ）その他
本発明は上述した実施形態およびその変形例に限定されるものではなく、本発明の趣旨を逸脱しない範囲で種々変形して実施することができる。
例えば、上述した実施形態においては、放送番組をハードディスク２７に記録するようになっているが、これに限定されるものではなく、例えば、ビデオテープやＤＶＤ等のハードディスク２７以外の記録媒体に放送番組を記録してもよい。
【００８８】
また、上述した実施形態においては、記録条件データベース２７１は、受信チャンネルに対して、時間帯，曜日，場所等を関連付けることにより構成されているが、これに限定されるものではなく、例えば日付等の他の記録条件を用いてもよい。
さらに、記録条件として、自動車の速度の閾値として設定しておき、ＣＰＵ１０が、車速パルス入力部２２に入力される車速パルスに基づいて自動車の走行速度を計測し、この走行速度が閾値以下となった場合に、記録部１７が放送番組の記録を行なってもよい。なお、自動車の走行速度は、カーナビゲーションシステム３０から取得してもよい。
【００８９】
また、上述した実施形態においては、受信品質判定部１６はＩＦ／ＲＦ  ＡＧＣ電圧に基づく手法により受信品質の判定を行なっているが、これに限定されるものではなく、例えば、チューナ２４がアナログ放送を受信する場合には、受信品質判定部１６は、同期分離した同期信号の安定度（周波数変動）に基づいて受信品質の劣化を検出してもよく、又、チューナ２４がデジタル放送を受信する場合には、受信品質判定部１６は、ＲＳエラー等のエラー率に基づいて受信品質の劣化を検出してもよい。
【００９０】
さらに、上述した実施形態においては、車載用ＴＶ受信装置１がタッチパネル２３をそなえて構成され、このタッチパネル２３が、表示部２３２と入力部２３１としての機能を兼ね備えているが、これに限定されるものではなく、表示部２３２と入力部２３１とを別々にそなえてもよい。
また、上述した実施形態においては、車載用ＴＶ受信装置１が、タッチパネルとして構成された入力部２３１と液晶ディスプレイとして構成された表示部２３２とをそなえたタッチパネル２３を有して構成されているが、これに限定されるものではなく、例えば、入力部２３１を、キーボードやタッチパネル、ジョイスティック等によって構成してもよく、又、表示部２３２を、例えばＣＲＴ（Cathode Ray Tube）によって構成してもよい。
【００９１】
さらに、上述した第３変形例においては、受信品質判定部１６により、画像信号の品質は悪いが、音声信号の品質が良好であると判断された場合に、記録部１７に対して、ハードディスク２７への放送番組の画像の記録を禁止させるとともに、放送番組の音声をハードディスク２７に記録させているが、これに限定されるものではなく、例えば、画像信号の品質は悪い場合において、ステレオ音声放送についてのみ音声の記録（録音）を行なってもよい。なお、ステレオ音声放送であるか否かの判定には、既知の種々の手法を用いることができる。
【００９２】
このようにステレオ音声放送についてのみ音声の記録を行なうことにより、高品質の状態で受信できた音声のみが記録されるので、その再生時に、搭乗者が高品質の音楽等を楽しむことができる。
なお、本発明の各実施形態が開示されていれば、本発明を当業者によって実施・製造することが可能である。
【産業上の利用可能性】
【００９３】
例えば、オートバイ等の自動車以外の移動体に本車載用ＴＶ受信装置を搭載してもよい。
【図面の簡単な説明】
【００９４】
【図１】本発明の一実施形態としての放送番組受信システムの構成を模式的に示す図である。
【図２】本発明の一実施形態としての放送番組受信システムおける車載用ＴＶ受信装置のタッチパネルに表示される録画条件入力画面の例を示す図である。
【図３】本発明の一実施形態としての放送番組受信システムにおける車載用ＴＶ受信装置のタッチパネルに表示されるキーワード入力画面の例を示す図である。
【図４】本発明の一実施形態としての放送番組受信システムにおける放送番組の受信時の処理を説明するためのフローチャートである。
【図５】本発明の一実施形態としての放送番組受信システムの変形例における車載用ＴＶ受信装置のタッチパネルに表示される録画条件入力画面の例を示す図である。
【図６】本発明の一実施形態としての放送番組受信システムの他の変形例における車載用ＴＶ受信装置のタッチパネルに表示される録画条件入力画面の例を示す図である。
【符号の説明】
【００９５】
１    車載用ＴＶ受信装置
１０    ＣＰＵ
１１    制御部
１２    条件記録制御部
１３    キーワード検索部
１４    電子番組表情報取得部
１５    収録指示部
１６    受信品質判定部
１７    記録部
１８    記録条件設定部
１９    記録条件作成部
２２    車速パルス入力部
２３    タッチパネル
２３ａ，２３ｃ，２３ｄ    録画条件入力画面
２３ｂ    キーワード入力画面
２４    チューナ（受信部）
２５，２９，２０３    アンテナ
２７    ハードディスク（記録部，記録条件情報格納部，視聴履歴格納部）
２８    無線通信部
３０    カーナビゲーションシステム
５０    インターネット（通信回線）
１００    放送番組受信システム
２００    自宅
２０１    チューナ（第１受信部）
２０２    記録部（第１記録部）
２０４    記録媒体
２０５    収録指示受信部
２３１    入力部（キーワード入力部，記録条件入力部）
２３２    表示部
２７１    記録条件データベース
２７３    地図データベース
【図１】
2006345185.tif 000003
【図２】
2006345185.tif 000004
【図３】
2006345185.tif 000005
【図４】
2006345185.tif 000006
【図５】
2006345185.tif 000007
【図６】
2006345185.tif 000008